(57)【要約】【課題】  表示エリアを広く確保した場合でも、大型の液晶表示器を用いることなく、カバープレートと液晶表示器を透明接着剤にて固定して視認性を向上させることができる表示装置を提供する。【解決手段】  表示パネル１１，１２，１３は、画像を表示する。保護パネル部材２０，６０，７０は、画像を透視可能である。表示パネル１１，１２，１３が透光性接着剤１５にて保護パネル部材２０，６０，７０に接着されている。保護パネル部材２０，６０，７０に複数の表示パネル１１，１２，１３が透光性接着剤１５にて接着される。保護パネル部材２０，６０，７０は、複数の表示パネル１１，１２，１３を夫々透視可能である複数の窓部２２ａ，２２ｂ，２２ｃ，６２ａ，６２ｂ，６２ｃ，７２ａ，７２ｂ，７２ｃが形成された遮光部２２，６２，７２を有する。【選択図】  図１
2015099285.tif 000002
【特許請求の範囲】
【請求項１】
画像を表示する表示パネルと、前記画像を透視可能である保護パネル部材と、を備え、前記表示パネルが透光性接着剤にて前記保護パネル部材に接着されている表示装置であって、
前記保護パネル部材に複数の前記表示パネルが前記透光性接着剤にて接着されることを特徴とする表示装置。
【請求項２】
前記保護パネル部材は、複数の前記表示パネルを夫々透視可能である複数の窓部が形成された遮光部を有することを特徴とする請求項１に記載の表示装置。
【請求項３】
前記保護パネル部材の前面は曲面であることを特徴とする請求項１に記載の表示装置。
【請求項４】
前記保護パネル部材は屈曲部を有することを特徴とする請求項１に記載の表示装置。
【請求項５】
前記保護パネル部材はスモーク材料からなる基板を有することを特徴とする請求項１に記載の表示装置。
【請求項６】
前記保護パネル部材と前記表示パネルとの間に、透光性樹脂からなる中間プレートを設けたことを特徴とする請求項１に記載の表示装置。
【発明の詳細な説明】
【技術分野】
【０００１】
本発明は、画像を表示する表示パネルを備えた表示装置に関するものである。
【背景技術】
【０００２】
従来の表示装置として、例えば特許文献１に開示されたものがある。斯かる表示装置は、透明カバープレートと液晶表示器とをＵＶ硬化型接着剤で接着させた構造になっている。これにより、透明カバープレートと空気層との間がＵＶ硬化型接着剤で満たされ、従来存在した空気層との界面での反射が減少して画質が向上する。
【先行技術文献】
【特許文献】
【０００３】
【特許文献１】特開２００９−２５８３３号公報
【発明の概要】
【発明が解決しようとする課題】
【０００４】
しかしながら、特許文献１記載の表示装置は、透明カバープレートと液晶表示器とを透明接着剤により密着させるものであるが、透明カバープレート１枚に対して１個の液晶表示器を接着するため、表示エリアの拡大要求に伴って、表示エリアを確保するには大型の液晶表示器を用いる必要があり、コストが高く、重量も重くなるという問題を有していた。
本発明は、表示エリアを広く確保した場合でも、大型の液晶表示器を用いることなく、カバープレートと液晶表示器を透明接着剤にて固定して視認性を向上させることができる表示装置を提供するものである。
【課題を解決するための手段】
【０００５】
本発明は、画像を表示する表示パネル１１，１２，１３と、前記画像を透視可能である保護パネル部材２０，６０，７０と、を備え、前記表示パネル１１，１２，１３が透光性接着剤１５にて前記保護パネル部材２０，６０，７０に接着されている表示装置であって、前記保護パネル部材２０，６０，７０に複数の前記表示パネル１１，１２，１３が前記透光性接着剤１５にて接着されるものである。
【０００６】
また、本発明は、前記保護パネル部材２０，６０，７０は、複数の前記表示パネル１１，１２，１３を夫々透視可能である複数の窓部２２ａ，２２ｂ，２２ｃ，６２ａ，６２ｂ，６２ｃ，７２ａ，７２ｂ，７２ｃが形成された遮光部２２，６２，７２を有するものである。
【０００７】
また、本発明は、前記保護パネル部材６０の前面６１ａは曲面であるものである。
【０００８】
また、本発明は、前記保護パネル部材７０は屈曲部７０ａ，７０ｂを有するものである。
【０００９】
また、本発明は、前記保護パネル部材２０，６０，７０はスモーク材料からなる基板２１，６１，７１を有するものである。
【００１０】
また、本発明は、前記保護パネル部材２０と前記表示パネル１１，１２，１３との間に、透光性樹脂からなる中間プレート９１，９２，９３を設けたものである。
【発明の効果】
【００１１】
表示エリアを広く確保した場合でも、大型の液晶表示器を用いることなく、カバープレートと液晶表示器を透明接着剤にて固定して視認性を向上させることができる。
【図面の簡単な説明】
【００１２】
【図１】本発明の第一実施形態を示す断面図。
【図２】同上実施形態を示す正面図。
【図３】本発明の第二実施形態を示す断面図。
【図４】本発明の第三実施形態を示す断面図。
【図５】本発明の第四実施形態を示す断面図。
【発明を実施するための形態】
【００１３】
以下、添付図面に基づいて、本発明の一実施形態を説明する。図１及び図２は、第一実施形態を示すものである。車両用表示装置は、液晶表示器１１，１２，１３，カバープレート２０，ケース体３０，回路基板４０を備えている。
【００１４】
液晶表示器１１，１３は、ＴＦＴ型フルカラーＬＣＤユニットからなるものであり、種々の車両情報を表示する。液晶表示器１２は、セグメント型モノカラーＬＣＤユニットからなるものであり、車両速度をデジタル表示する。液晶表示器１１，１２，１３は、透光性接着剤１５にてオプティカルボンディングされており、カバープレート２０の後面に密着されている。透光性接着剤１５は、ＵＶ硬化型の接着剤である。
【００１５】
カバープレート２０は、平板形状の透明な無機ガラスからなる基板２１に黒色印刷層からなる遮光部２２を形成したものである。カバープレート２０の遮光部２２は、液晶表示器１１，１２，１３の画像を透視可能にする矩形の窓部２２ａ，２２ｂ，２２ｃを有している。
【００１６】
ケース体３０は、ＡＥＳ等の樹脂からなるものであり、前面にカバープレート２０が固定されている。回路基板４０は、ガラスエポキシ樹脂からなる基材に銅箔からなる配線パターンを形成したものであり、ケース体３０に収納されている。回路基板４０は、図示しない可撓性配線板によって液晶表示器１１，１２，１３に接続されている。
【００１７】
図３は第二実施形態を示すものである。第二実施形態は、第一実施形態に比してカバープレート６０だけが異なり、他の構成は第一実施形態と同様である。
【００１８】
カバープレート６０は、透明な樹脂ガラスからなる基板６１に黒色印刷層からなる遮光部６２を形成したものである。カバープレート６０の基板６１は、中央部で厚く、周辺部で薄い凸状になっている。基板６１の前面６１ａは球面になっており、基板６１の後面６１ｂは平面になっている。カバープレート６０の遮光部６２は、基板６１の後面６１ｂに形成されている。カバープレート６０の遮光部６２は、液晶表示器１１，１２，１３の画像を透視可能にする矩形の窓部６２ａ，６２ｂ，６２ｃを有している。
【００１９】
図４は第三実施形態を示すものである。第三実施形態は、第一実施形態に比してカバープレート７０だけが異なり、他の構成は第一実施形態と同様である。
【００２０】
カバープレート７０は、透明な樹脂ガラスからなる基板７１に黒色印刷層からなる遮光部７２を形成したものである。カバープレート７０は、屈曲部７０ａ，７０ｂを有しており、前面が凹状である湾曲形状になっている。カバープレート７０の屈曲部７０ａは、液晶表示器１１と液晶表示器１２の間に設けられている。カバープレート７０の屈曲部７０ｂは、液晶表示器１２と液晶表示器１３の間に設けられている。
【００２１】
カバープレート７０の基板７１は、中央個所が回路基板４０と平行な平板形状になっており、左右個所が回路基板４０に対して所定角度を有する平板形状になっている。カバープレート７０の遮光部７２は、基板７１の後面に形成されている。カバープレート７０の遮光部７２は、液晶表示器１１，１２，１３の画像を透視可能にする矩形の窓部７２ａ，７２ｂ，７２ｃを有している。
【００２２】
図５は第四実施形態を示すものである。車両用表示装置は、液晶表示器１１，１２，１３，中間プレート９１，９２，９３，カバープレート２０，ケース体３０，回路基板４０を備えている。
【００２３】
液晶表示器１１，１２，１３は、透光性接着剤１７にてオプティカルボンディングされており、夫々、中間プレート９１，９２，９３の後面に密着されている。中間プレート９１，９２，９３は無機ガラスからなるものであり、中間プレート９１，９２，９３は透光性接着剤１５にてオプティカルボンディングされ、カバープレート２０の後面に密着されている。
【００２４】
カバープレート２０は、平板形状の透明な無機ガラスからなる基板２１に黒色印刷層からなる遮光部２２を形成したものである。カバープレート２０の遮光部２２は、液晶表示器１１，１２，１３の画像を透視可能にする矩形の窓部２２ａ，２２ｂ，２２ｃを有している。
【００２５】
ケース体３０は、ＡＥＳ等の樹脂からなるものであり、前面にカバープレート２０が固定されている。回路基板４０は、ガラスエポキシ樹脂からなる基材に銅箔からなる配線パターンを形成したものであり、ケース体３０に収納されている。回路基板４０は、図示しない可撓性配線板によって液晶表示器１１，１２，１３に接続されている。
【００２６】
中間プレート９１，９２，９３を設けることにより、中間プレート９１，９２，９３の応力緩和により外部環境の温度変化による傍聴収縮によって、液晶表示器１１，１２，１３に線膨張係数の違いによるストレスを直接与えることがないため、耐久性が高くなる。
【００２７】
各実施形態によれば、表示装置に表示エリアを広く確保した場合でも、大型の液晶表示器を用いることなく、カバープレート２０，６０，７０と液晶表示器１１，１２，１３を透明接着剤１５，１７にて固定して視認性を向上させることができる。
【００２８】
なお、本発明は、各実施形態に限定されるものではなく、種々の変形が可能である。例えば、カバープレート２０，６０，７０に凸形状または凹形状の段差を形成して、意匠性を向上させても良い。また、カバープレート２０，６０，７０の基板２１，６１，７１は、スモーク材料からなるものであっても良い。また、カバープレート２０，６０，７０の基板２１，６１，７１に、反射防止，防汚，停電防止，赤外線カット等の機能を有する表面処理を付加しても良い。
【符号の説明】
【００２９】
１１  液晶表示器（表示パネル）
１２  液晶表示器（表示パネル）
１３  液晶表示器（表示パネル）
１５  透光性接着剤
２０  カバープレート（保護パネル部材）
２１  基板
２２  遮光部
６０  カバープレート（保護パネル部材）
６１  基板
６２  遮光部
７０  カバープレート（保護パネル部材）
７０ａ  屈曲部
７０ｂ  屈曲部
７１  基板
７２  遮光部
９１  中間プレート
９２  中間プレート
９３  中間プレート
【図１】
2015099285.tif 000003
【図２】
2015099285.tif 000004
【図３】
2015099285.tif 000005
【図４】
2015099285.tif 000006
【図５】
2015099285.tif 000007